【手続補正書】
【提出日】平成16年3月5日(2004.3.5)
【手続補正１】
【補正対象書類名】明細書
【補正対象項目名】特許請求の範囲
【補正方法】変更
【補正の内容】
【特許請求の範囲】
【請求項１】
（ａ）人間視覚システムのノイズから擬似ランダムノイズを生成するステップと、（ｂ）該擬似ランダムノイズを画像データから差し引き、ノイズ補償画像データを生成するステップと、（ｃ）該ノイズ補償画像データを量子化するステップと、（ｄ）前記ノイズ補償画像データを表示するステップと、を含んでなることを特徴とするディスプレイシステムのビット深さ拡張方法。
【請求項２】
前記人間視覚システムのノイズは、無彩色モデルを用いて決定されたノイズであることを特徴とする請求項１に記載のディスプレイシステムのビット深さ拡張方法。
【請求項３】
各色平面に１つのノイズフィールドを加えることを特徴とする請求項２に記載のディスプレイシステムのビット深さ拡張方法。
【請求項４】
前記ノイズフィールドは、各色平面毎に空間的オフセットが異なっていることを特徴とする請求項３に記載のディスプレイシステムのビット深さ拡張方法。
【請求項５】
前記人間視覚システムのノイズは、有彩色モデルを用いて決定されたノイズであることを特徴とする請求項１に記載のディスプレイシステムのビット深さ拡張方法。
【請求項６】
色平面毎に異なるノイズフィールドを生成することを特徴とする請求項５に記載のディスプレイシステムのビット深さ拡張方法。
【請求項７】
反対色からＲＧＢに変換する前にノイズを付加することを特徴とする請求項５に記載のディスプレイシステムのビット深さ拡張方法。
【請求項８】
前記擬似ランダムノイズを生成するステップは、ディスプレイ装置の静的ディスプレイノイズの測定と、該静的ディスプレイノイズと前記人間視覚システムのノイズとの結合とをさらに含んでなることを特徴とする請求項１に記載のディスプレイシステムのビット深さ拡張方法。
【請求項９】
前記ステップ（ｂ）は、前記擬似ランダムノイズを、画像データのＣＩＥＬＡＢ色彩計Ａ＊層の等輝度画像、及び／または、Ｂ＊層の等輝度画像より差し引き、ノイズ補償画像データを生成するステップであることを特徴とする請求項１に記載のディスプレイシステムのビット深さ拡張方法。
【請求項１０】
ＣＩＥＬＡＢ色彩計の前記Ａ＊層、前記Ｂ＊層に対し、それぞれ異なる空間オフセットにて擬似ランダムノイズを差し引くことを特徴とする請求項９に記載のディスプレイシステムのビット深さ拡張方法。
【請求項１１】
人間視覚システムのノイズを発生するノイズ発生手段と、
該人間視覚システムのノイズから擬似ランダムノイズを生成するノイズ生成手段と、
該擬似ランダムノイズを画像データから差し引き、ノイズ補償画像データを生成するノイズ補償画像データ生成手段と、
該ノイズ補償画像データを量子化する量子化手段と、
該量子化手段により量子化されたノイズ補償画像データを表示するスクリーンと、を含んでなることを特徴とするディスプレイシステム。
【請求項１２】
人間視覚システムのノイズを発生するノイズ発生手段と、
該人間視覚システムのノイズから擬似ランダムノイズを生成するノイズ生成手段と、
該ノイズ生成手段にて生成された同一の擬似ランダムノイズをＲＧＢ各色の画像データから差し引き、ＲＧＢ各色のノイズ補償画像データを生成するノイズ補償画像データ生成手段と、
該ＲＧＢ各色のノイズ補償画像データを量子化する量子化手段と、
該量子化手段により量子化されたＲＧＢ各色のノイズ補償画像データを表示するスクリーンと、を含んでなることを特徴とするディスプレイシステム。
【請求項１３】
グレイスケールの非線形が補償されていることを特徴とする請求項１２に記載のディスプレイシステム。
【請求項１４】
所定の人間視覚システムのノイズを発生するノイズ発生手段と、
該人間視覚システムのノイズから３つの異なる擬似ランダムノイズを生成するノイズ生成手段と、
該３つの異なる擬似ランダムノイズを、ＲＧＢ各色の画像データ毎に該画像データからそれぞれ差し引き、ＲＧＢ各色のノイズ補償画像データを生成するノイズ補償画像データ生成手段と、
該ＲＧＢ各色のノイズ補償画像データを量子化する量子化手段と、
該量子化手段により量子化されたＲＧＢ各色のノイズ補償画像データを表示するスクリーンと、を含んでなることを特徴とするディスプレイシステム。
【請求項１５】
前記擬似ランダムノイズは、ＣＩＥＬＡＢ色彩計のＬ＊、Ａ＊及びＢ＊チャンネルと類似の視覚システムの輝度チャンネルと、２つの等輝度色チャンネルの等価入力ノイズを含むことを特徴とする請求項１４に記載のディスプレイシステム。
【請求項１６】
人間視覚システムのノイズを発生するノイズ発生手段と、
該人間視覚システムのノイズから擬似ランダムノイズを生成するノイズ生成手段と、
該ノイズ生成手段にて生成された擬似ランダムノイズを、ＲＧＢ各色毎に空間オフセットを異なるようにしてＲＧＢ各色の画像データから差し引き、ＲＧＢ各色のノイズ補償画像データを生成するノイズ補償画像データ生成手段と、
該ＲＧＢ各色のノイズ補償画像データを量子化する量子化手段と、
該量子化手段により量子化されたＲＧＢ各色のノイズ補償画像データを表示するスクリーンと、を含んでなることを特徴とするディスプレイシステム。
【請求項１７】
人間視覚システムのノイズを発生するノイズ発生手段と、
該人間視覚システムのノイズから擬似ランダムノイズを生成するノイズ生成手段と、
該ノイズ生成手段にて生成された擬似ランダムノイズを、画像データのＣＩＥＬＡＢ色彩計Ａ＊層の等輝度画像、及び／または、Ｂ＊層の等輝度画像より差し引き、ノイズ補償画像データを生成するノイズ補償画像データ生成手段と、
該ノイズ補償画像データを量子化する量子化手段と、
該量子化手段により量子化されたＲＧＢ画像データを表示するスクリーンと、
を含んでなることを特徴とするディスプレイシステム。
【請求項１８】
ＣＩＥＬＡＢ色彩計の前記Ａ＊層の等輝度画像、前記Ｂ＊層の等輝度画像に対し、それぞれ異なる空間オフセットにて擬似ランダムノイズを差し引くことを特徴とする請求項１７に記載のディスプレイシステム。
【請求項１９】
反対色からＲＧＢに変換する変換手段を備え、該変換手段により反対色からＲＧＢに変換する前に、前記擬似ランダムノイズを付加することを特徴とする請求項１７に記載のディスプレイシステム。
【手続補正２】
【補正対象書類名】明細書
【補正対象項目名】００５４
【補正方法】変更
【補正の内容】
【００５４】
第１６の技術手段は、人間視覚システムのノイズを発生するノイズ発生手段と、該人間視覚システムのノイズから擬似ランダムノイズを生成するノイズ生成手段と、該ノイズ生成手段にて生成された擬似ランダムノイズを、ＲＧＢ各色毎に空間オフセットを異なるようにしてＲＧＢ各色の画像データから差し引き、ＲＧＢ各色のノイズ補償画像データを生成するノイズ補償画像データ生成手段と、該ＲＧＢ各色のノイズ補償画像データを量子化する量子化手段と、該量子化手段により量子化されたＲＧＢ各色のノイズ補償画像データを表示するスクリーンと、を含んでなることを特徴としたものである。
第１７の技術手段は、人間視覚システムのノイズを発生するノイズ発生手段と、該人間視覚システムのノイズから擬似ランダムノイズを生成するノイズ生成手段と、該ノイズ生成手段にて生成された擬似ランダムノイズを、画像データのＣＩＥＬＡＢ色彩計Ａ＊層の等輝度画像、及び／または、Ｂ＊層の等輝度画像より差し引き、ノイズ補償画像データを生成するノイズ補償画像データ生成手段と、該ノイズ補償画像データを量子化する量子化手段と、該量子化手段により量子化されたＲＧＢ画像データを表示するスクリーンと、
を含んでなることを特徴としたものである。
第１８の技術手段は、請求項１７の技術手段において、ＣＩＥＬＡＢ色彩計の前記Ａ＊層の等輝度画像、前記Ｂ＊層の等輝度画像に対し、それぞれ異なる空間オフセットにて擬似ランダムノイズを差し引くことを特徴としたものである。
第１９の技術手段は、請求項１７の技術手段において、反対色からＲＧＢに変換する変換手段（マトリックス）を備え、該変換手段(マトリックス)により反対色からＲＧＢに変換する前に、前記擬似ランダムノイズを付加することを特徴としたものである。